(57)【要約】      （修正有）【課題】異なる大きさのシールドケースをケース本体に取り付けるシールドケース取付構造を提供する。【解決手段】内部に電子回路を収納した箱状のシールドケースをケース本体３内に取り付ける取付手段を備えてなる電子機器のシールドケース取付構造において，前記取付手段が，同軸ケーブル接栓を備えた一側面と対向配置される前記シールドケースの反対側面に外方向に向かって突出形成された係止部と，前記ケース本体３に設けられ，前記シールドケースの寸法に対応して着脱自在に固着するように構成された前記係止部に係止する可動係止片９４と，からなり，前記可動係止片９４は，両側板３ｂと裏側板３ｄに形成された嵌合部３３、６３に前記ケース本体３の結線盤３ａに略平行となるように嵌合保持された保持体９３に一体形成されている。そして，前記保持体９３が所定位置から所定の間隔で前後方向に移動可能なように前記嵌合部３３、６３を複数個備えている。【選択図】図５
2008010595.tif 000002
【特許請求の範囲】
【請求項１】
内部に電子回路を収納した全体箱状に形成されたシールドケースを備え，その一側面には前記回路と外部とを接続するための同軸ケーブル接栓を有する電子機器と，ケース本体に形成された前記同軸ケーブル接栓を挿通するための挿通孔を有する結線盤から，前記同軸ケーブル接栓を頭出しした状態で前記シールドケースをケース本体内に取り付ける取付手段と，を備えてなる電子機器のシールドケース取付構造において，
前記取付手段が，
前記同軸ケーブル接栓を備えた一側面と対向配置される前記シールドケースの反対側面に外方向に向かって突出形成された係止部と，
前記ケース本体に設けられ，前記シールドケースの寸法に対応して着脱自在に固着するように構成された前記係止部に係止する可動係止片と，からなることを特徴とした電子機器のシールドケース取付構造。
【請求項２】
前記係止片は，前記ケース本体に一体的に形成された固定係止片と，該固定係止片と前記ケース本体の結線盤との中間位置にあって着脱自在に固着するように構成された可動係止片とからなることを特徴とした請求項１に記載の電子機器のシールドケース取付構造。
【請求項３】
前記ケース本体は，天板と，天板に平行する状態で配置される結線盤と，天板と結線盤との間に夫々配置される二つの側板とを略角形に配置すると共に，前記天板，結線盤及び二つの側板で囲まれる角形の空間の一面を塞ぐように備えさせた裏側板とからなり，
前記可動係止片は，前記両側板と裏側板に形成された嵌合部に前記ケース本体の結線盤に略平行となるように嵌合保持された保持体に一体形成されていることを特徴とした請求項１または請求項２の何れか一項に記載の電子機器のシールドケース取付構造。
【請求項４】
前記保持体は，
該保持体の所定位置に手前側から前記裏側板に向かって所定長切欠いた切欠部を両側に有するように形成され，その先端部に形成された前記シールドケースの係止部の上端部に引っ掛かる鉤部と，鉤部を支持する基部からなる係止爪であって，その平面位置が基部と保持体との接続部において，前記保持体がなす平面より前記シールドケース方向に所定寸法だけ突設して平行配置されてなる可動係止片と，
前記可動係止片の前記基部と保持体との接続部から前記切欠部を挟んだ両側近傍に，前記保持体から前記結線盤方向に突設した裏側止着片と，前記保持体から該裏側止着片と直交する方向に突設した上側止着片からなる受止段部と，が備えられ，
前記シールドケースをケース本体に取り付け状態で，前記鉤部と前記裏側止着片とで，前記シールドケースの裏側板に直交する方向への動きを制限し，前記上側止着片で前記シールドケースの保持体方向への動きを制限するように構成したことを特徴とした請求項３に記載の電子機器のシールドケース取付構造。
【請求項５】
前記保持体は，ケース本体の裏側板に形成された嵌合部に嵌合した部分より僅かに上方となる位置に，該保持体の長手方向に亘って断面略ト字型となるようにケース本体の結線盤方向に向かって一体に形成された補強板を備え，前記保持体の長手方向に直交する方向に加わる力に対して撓み難くした事を特徴とした請求項３または請求項４の何れか一項に記載の電子機器のシールドケース取付構造。
【請求項６】
前記保持体が所定位置から所定の間隔で前後方向に移動可能なように前記嵌合部を複数個備えたことを特徴とした請求項３から請求項５に何れか一項に記載の電子機器のシールドケース取付構造。
【請求項７】
内部にＯ／Ｅ変換手段を収納した全体箱状に形成されたシールドケースを備え，その一側面には前記回路と外部とを接続するための同軸ケーブル接栓を有する光受信部と，前記同軸ケーブル接栓を挿通するための挿通孔を有する結線盤から，前記同軸ケーブル接栓を頭出しした状態で前記シールドケースを取り付ける取付手段を備えたケース本体と，余長の光ファイバ収容部とを有する光受信機において，
前記ケース本体内へ前記光受信部を取り付けた状態で，ケース本体の開口部側に前記余長の光ファイバ収容部を重合させるように備えることを特徴とする，請求項１から請求項６の何れか一項に記載の光受信部のシールドケース取付構造を有する光受信機。
【発明の詳細な説明】
【技術分野】
【０００１】
本発明は，主に電子回路を収納したシールドケースを，ケース本体に取り付ける電子機器の取付構造に関するものであり，特に，大きさの異なるシールドケースであってもケース本体に簡単且つ安価に取り付けることのできる構造を提供するものである。
【背景技術】
【０００２】
従来，例えば，金属薄板により形成した前面壁，両側板，背面板及び天井板や底板を組み立てて内部に配線基板等を収納したシールドケースからなる電子機器の前面壁をケース本体のパネルに密着させ，前面壁に取り付けられた同軸コネクタやモールドコネクタをパネルから頭出しした状態で，パネルの前面側からねじを用いて取り付ける取付構造が提案されているが，電子機器，即ちシールドケースをケース本体に取り付ける場合は，ねじ部材を用いてねじ止めしなくてはならない煩わしさがあった。また，シールドケースが大きいものであれば，パネルからのねじ止めに加え，シールドケースに取付ねじ部を設け，ケース本体内においてもシールドケースの所定位置をねじ止めしなければパネルにストレスが加わることなくシールドケースを取付できない。
（例えば，特許文献１参照）
【０００３】
また，これに対して，周辺端部の所定位置から突出した突起体を有するプリント基板と，前記プリント基板を収納した箱体（シールドケース）を有する電子機器と，前記箱体をケース本体内に取り付ける取付手段とを備え，前記取付手段が，箱体の壁面に突起体の突出方向にあわせて形成され，プリント基板の収納した状態で突起体が嵌合する係止部と，前記ケース本体に設けた前記係止部に係止する係止片とからなる電子機器の箱体の取付構造が提案されている。このような構成であれば，上記従来例のようなねじ止めの煩わしさもなく，螺子による着脱作業に比較して，シールドケースをケース本体に簡単に着脱でき，組み立てや分解等の作業時間を短縮して製造コストを低減できるし，シールドケースに取付ネジ部を設ける必要がないので，電子機器を小型にできる。
（例えば，特許文献２参照）
【０００４】
【特許文献１】特開２００２−２８０９１２号公報
【特許文献２】特開２００４−２２８３２５号公報
【発明の開示】
【発明が解決しようとする課題】
【０００５】
しかし，従来の特許文献１に示されている取付構造は，パネルにねじ止めする方法であるので，前面壁が同じ大きさであってもパネル後方にスペースがあれば，シールドケースの外形形状が異なっても取付ができる。即ち，例えば，収納される電子回路の仕様（例えば，高性能タイプ，普及タイプなど。）によって，プリント基板の形状が大きくなったり小さくなったりする場合であれば，これに応じて複数種類のシールドケースができてしまうことも考えられるのであるが，このシールドケースの前面壁が共通化されていることによってシールドケースの大きさが違っても取付ができるといった利点がある。しかしながら，上記に示すように，シールドケースが大きいものであれば，パネルからのねじ止めに加え，シールドケースに取付ねじ部を設け，ケース本体内においてもシールドケースの所定位置をねじ止めしなければ，パネルにストレスが加わることなくシールドケースを取付できないと言った問題がある。また，このケース本体を屋外において使用しようとすると，ねじ止め部などの防水対策が必要となる。
【０００６】
これに対して，特許文献２に示されている取付構造においては，螺子による着脱作業に比較して，シールドケースをケース本体に簡単に着脱でき，組み立てや分解等の作業時間を短縮して製造コストを低減できるし，シールドケースに取付ネジ部を設ける必要がないので，電子機器を小型にできるのであるが，特許文献２の実施例に示されるような余長の光ファイバ収納部を備える光受信機の場合，光ファイバ収容部の形状は光ファイバの最小曲げ半径によって決まり所定の大きさより小さくできないので，ケース本体の大きさも光ファイバ収容部によって決められてしまう。つまり，収納する電子機器が大きくても小さくてもケース本体の大きさは変わらないことになる。そこで，係止片をケース本体に形成して，上述のように複数の大きさのシールドケースを取り付けられるようにした場合，大きいシールドケースの取り付けをしようとすると，小さいシールドケース用の係止片が邪魔になり取付けができないことになる。このような場合，例えば，シールドケースの種類分だけコマ（移動金型）を作って金型を入れ替えながら係止片の位置の異なる複数のケース本体を成形する必要が生じ，金型費が高額に成るばかりでなく，部品の種類が増えることによるコストや管理費がアップすると言った問題が生じることとなる。そこで本願においては，こうした問題点を解決するためになされたものであり，
その目的は，電子機器のシールドケースの取付構造を提供することにある。
他の目的は，電子機器のシールドケースを簡単且つ安価に取り付ける取付構造を提供することにある
他の目的は，異なる外形を有する電子機器のシールドケースを簡単且つ安価に取り付ける取付構造を提供することにある。
他の目的及び利点は図面及びそれに関連した以下の説明により容易に明らかになるであろう。
【課題を解決するための手段】
【０００７】
上記課題を解決するために，請求項１の発明は，内部に電子回路を収納した全体箱状に形成されたシールドケースを備え，その一側面には前記回路と外部とを接続するための同軸ケーブル接栓を有する電子機器と，ケース本体に形成された前記同軸ケーブル接栓を挿通するための挿通孔を有する結線盤から，前記同軸ケーブル接栓を頭出しした状態で前記シールドケースをケース本体内に取り付ける取付手段と，を備えてなる電子機器のシールドケース取付構造において，
前記取付手段が，
前記同軸ケーブル接栓を備えた一側面と対向配置される前記シールドケースの反対側面に外方向に向かって突出形成された係止部と，
前記ケース本体に設けられ，前記シールドケースの寸法に対応して着脱自在に固着するように構成された前記係止部に係止する可動係止片と，から構成される。
【０００８】
請求項２の発明は，請求項１に記載の電子機器のシールドケース取付構造において，前記係止片は，前記ケース本体に一体的に形成された固定係止片と，該固定係止片と前記ケース本体の結線盤との中間位置にあって着脱自在に固着するように構成された可動係止片とから構成される。
【０００９】
請求項３の発明は，請求項１または請求項２の何れか一項に記載の電子機器のシールドケース取付構造において，前記ケース本体は，天板と，天板に平行する状態で配置される結線盤と，天板と結線盤との間に夫々配置される二つの側板とを略角形に配置すると共に，前記天板，結線盤及び二つの側板で囲まれる角形の空間の一面を塞ぐように備えさせた裏側板とからなり，
前記可動係止片は，前記両側板と裏側板に形成された嵌合部に前記ケース本体の結線盤に略平行となるように嵌合保持された保持体に一体形成されている。
【００１０】
請求項４の発明は，請求項３に記載の電子機器のシールドケース取付構造において，前記保持体は，該保持体の所定位置に手前側から前記裏側板に向かって所定長切欠いた切欠部を両側に有するように形成され，その先端部に形成された前記シールドケースの係止部の上端部に引っ掛かる鉤部と，鉤部を支持する基部からなる係止爪であって，その平面位置が基部と保持体との接続部において，前記保持体がなす平面より前記シールドケース方向に所定寸法だけ突設して平行配置されてなる可動係止片と，
前記可動係止片の前記基部と保持体との接続部から前記切欠部を挟んだ両側近傍に，前記保持体から前記結線盤方向に突設した裏側止着片と，前記保持体から該裏側止着片と直交する方向に突設した上側止着片からなる受止段部と，が備えられ，
前記シールドケースをケース本体に取り付け状態で，前記鉤部と前記裏側止着片とで，前記シールドケースの裏側板に直交する方向への動きを制限し，前記上側止着片で前記シールドケースの保持体方向への動きを制限するように構成した。
【００１１】
請求項５の発明は，請求項３または請求項４の何れか一項に記載の電子機器のシールドケース取付構造において，前記保持体は，ケース本体の裏側板に形成された嵌合部に嵌合した部分より僅かに上方となる位置に，該保持体の長手方向に亘って断面略ト字型となるようにケース本体の結線盤方向に向かって一体に形成された補強板を備え，前記保持体の長手方向に直交する方向に加わる力に対して撓み難くした。
【００１２】
請求項６の発明は，請求項３から請求項５に何れか一項に記載の電子機器のシールドケース取付構造において，前記保持体が所定位置から所定の間隔で前後方向に移動可能なように前記嵌合部を複数個備えた。
【００１３】
請求項７の発明は，内部にＯ／Ｅ変換手段を収納した全体箱状に形成されたシールドケースを備え，その一側面には前記回路と外部とを接続するための同軸ケーブル接栓を有する光受信部と，前記同軸ケーブル接栓を挿通するための挿通孔を有する結線盤から，前記同軸ケーブル接栓を頭出しした状態で前記シールドケースを取り付ける取付手段を備えたケース本体と，余長の光ファイバ収容部とを有する光受信機において，
前記ケース本体内へ前記光受信部を取り付けた状態で，ケース本体の開口部側に前記余長の光ファイバ収容部を重合させるように備えることを特徴とする請求項１から請求項６の何れか一項に記載のシールドケース取付構造を有する光受信機。
【発明の効果】
【００１４】
本発明の電子機器のシールドケースの取付構造によれば，ケース本体に備えた係止片を，ケース本体から着脱自在に固着できるように構成しその取付位置を２つの位置から選択できる可動係止片にしたり，また，ケース本体に一体に形成された固定係止片と，この固定係止片より内側に可動係止片を着脱自在に固着できるようにしたりすることによって，２つの大きさのことなるシールドケースの取り付けが選択的にできるのである。
更に，可動係止片の取付位置を前後に所定長だけ移動可能にする事によって，シールドケースの複数の大きさに対してフレキシブルに対応可能な電子機器のシールドケースの取付構造を提供できるのである。
【発明を実施するための最良の形態】
【００１５】
以下に，本発明を具体化した実施形態の例を，図面を基に詳細に説明する。図１及び図２は，ケース７におけるケース本体３と，ケース本体３内に収納される電子機器（本願の実施例においては光受信部。以下，光受信部と記載する。）１３及び光ファイバ収容部２４の位置関係を示す正面図及び結線盤３ａ側から見た分解斜視図である。尚，これらの図において挿通路６０の構成は，従来技術に示す挿通路を表示するものである。図３はケース本体３の第１実施例を示す天板３ｃ側から見た概略斜視図，図４はケース本体の第２実施例を示す天板３ｃ側から見た概略斜視図，図５はケース本体３の第３実施例を示す天板３ｃ側から見た概略斜視図である。
図６（ａ）は図５に示される第３実施例のケース本体３における保持体９３の正面図であり，（ｂ）は背面図である。図７（ａ）は図６（ａ）に示されるＡ−Ａ線断面図であり，（ｂ）は図６（ａ）に示されるＢ−Ｂ線断面図であり，（ｃ）は図６（ａ）に示されるＣ−Ｃ線断面図である。図８（ａ）は図５に示されるＤ−Ｄ線断面図でありケース本体３と保持体９３の嵌合状態を示し，（ｂ）は図８（ａ）に示されるＥ−Ｅ線断面図である。図９は図５に示されるケース本体３に光受信部１３を取り付けたときのＦ−Ｆ線の一部を破断した一部断面図である。
図１０は挿通路６０における挟持具３９と，二系列の光ケーブル４１，４２の位置関係を説明する為の図で，（ａ）は挟持具を開いた状態，（ｂ）は挟持具を閉じた状態を示す一部拡大した正面図である。図１１は挟持具の実施例を示す拡大斜視図である。図１２は本願の光ファイバ収容部２４と挿通路６０の要部を拡大した斜視図である。図１３は光ケーブル挿通口の拡大斜視図である。図１４は本発明に係るケース本体３と，ケース本体３内に収納される光受信部１３及び光ファイバ収容部２４の位置関係を示す正面図及び結線盤３ａ側から見た分解斜視図である。図１５はケース本体３に蓋体４を装着した図であり，（ａ）は正面図，（ｂ）は前面図である。図１６（ａ）は図１５（ａ）におけるＧ−Ｇ線から見た拡大図であり，（ｂ）は図１５（ｂ）におけるＨ−Ｈ線から見た断面図であり，（ｃ）は図１５（ｂ）におけるＩ−Ｉ線から見た断面図である。図１７（ａ）は図１５（ｂ）におけるＪ−Ｊ線から見た断面図であり，（ｂ）は図１５（ｂ）におけるＫ−Ｋ線から見た断面図である。
【００１６】
図１及び図２に示されるように，３は，周知のようにオフィスビルやマンションなどの出入り口近くに設置する光受信機１におけるケース本体を示し，通常は図に示されない任意の蓋体を開閉自在に備える。４ａは蓋体の止具を示す。
ケース本体３は，天板３ｃと，天板に平行する状態で配置される結線盤３ａと，天板３ｃと結線盤３ａとの間に夫々配置される二つの側板３ｂとを角形に配置すると共に，上記天板３ｃ，結線盤及び二つの側板３ｂで囲まれる角形の空間５の一面を塞ぐように備えさせた裏側板３ｄとで構成されている。
ケース本体３の表側面には，ケース外部からケース内の光ファイバ４４等を操作するための比較的大きな開口部３ｅを備えさせ，さらに上記ケース本体の開口部３ｅに対しては開閉自在にケース本体に枢着された図には示されていない前記蓋体を被せ付けてケース７を構成し，さらに，上記ケース本体３において，外部から表側面の開口部３ｅを通してケース内５の光ファイバ４４等を操作可能とする位置には，大きな曲率で添え付け状に配置される光ファイバを受け止める為の基板２５と，光ファイバを大きな曲率で基板２５に添わせた状態で配置した場合に，周方向外部に向けて光ファイバが逃げ出すのを防ぐために基板面上に柵状に配設した周壁５８，２７等で構成される光ファイバ収容部２４を備えさせている。
５は，ケース本体３における収納空間を示し，Ｏ／Ｅ変換手段を備える光受信部１３と，余長の光ファイバ４４等を収容する為の収容部２４とを備えている。ケース本体３の下側の結線盤３ａは，例えば底部３ｄ，側部３ｂを含む本体部分とプラスチック材で一体に又は各別材を組み合わせて形成してある。結線盤３ａに備える８，９は公知のテレビ信号を取り出す為の出力端子突出口を示す。以下にケース本体３の実施例について説明する。また，裏側板３ｄに備える１０はシールドケースを固定するための従来例の係止爪である。
【００１７】
（第１実施例）
図３において裏側板３ｄには第１実施例に係る第１の保持体２００が備えられている。この第１の保持体２００は基体２０１から突設した可動係止片２０２と受止段部２０３からなり，可動係止片２０２と受止段部２０３とで，図３には示されていない光受信部１３に形成した係止部を挟持して，該光受信部１３をケース本体内に取り付ける。尚，この取付方法の詳細については後述する。
この第１の保持体２００は，結線盤３ａと天板３Ｃとの中間位置に，裏側板３ｄから突設した止着爪３１ｄと保持爪３２ｄによってケース本体３の裏側板３ｄに着脱自在に固着されている。その取付方法は，基体２０１の前面端２０４ｄを止着爪３１ｄに当付てから基体２０１の後方端２０５を保持爪３２ｄに嵌め込んで挟持することで取付が完了する。更に，止着爪３１ｄおよび保持爪３２ｄの一組が天板３ｃ側にも形成されており，本願の第１実施例では，第１の保持体２００はケース本体３の中間位置若しくは天板３ｃ側の２ヶ所に選択的に着脱自在に固着されるように構成されている。
尚，図における１６０は光ケーブル挿通口である。
【００１８】
（第２実施例）
図４に示すこの実施例では，上述の第１実施例に示されているように，第１の保持体２００は着脱自在に固着できるように構成されるものの，天板３ｃ側に形成された保持体２００を取り付けための止着爪３１ｄおよび保持爪３２ｄの一組に替えて，裏側板３ｄと一体的に形成された固定係止片１０と受止段部１１からなる固定係止部１００が形成されており，大きい光受信部１３を取り付ける場合はこの固定係止部１００において取り付けられ，小さい光受信部を取り付ける場合には保持体２００を用いて取り付けることで，異なる２つの大きさの光受信部１３を取り付け可能なように構成されている。
【００１９】
（第３実施例）
この実施例は，図５によく示されるように，上記第１および第２の実施例と同様に，固定係止部１００と保持体を有するものであるが，保持体の構成が上記第２実施例とは異なるものである。この保持体の具体例を図６に示す。この図において（ａ）は正面図であり，（ｂ）は背面図である。
第２の保持体９３は，その外形は，幅がケース本体３の両側板３ｂ間の寸法と略等しく，その高さは側板３ｂの高さと略等しいか僅かに小さい寸法を有する略長方形状に例えば合成樹脂等の弾性材から形成されている。この第２の保持体９３には，保持体９３の所定位置に，ケース本体３の開口部側から前記裏側板３ｄ側に向かって所定長切欠いた切欠部９５を両側に有し，その先端部に形成された図には示されていない前記光受信機１３のシールドケースに形成された係止部の上端部に引っ掛かる鉤部９４ｂと，鉤部９４ｂを支持する基部９４ａからなる可動係止片９４が形成されている。この可動係止片９４はその平面位置が基部９４ａと保持体９３本体との接続部において，前記保持体９３がなす平面より前記光受信部１３方向に所定寸法だけ突設するように平行配置されている。そして，前記可動係止片９４の前記基部９４ａと保持体９３との接続部から前記切欠部９５を挟んだ両側近傍には，前記保持体９３から前記結線盤方向に突設した裏側止着片９６ａと，前記保持体９３から該裏側止着片９６ｂと直交する方向に突設した上側止着片９６ｂからなる受止段部９６がそれぞれの係止片９４に一対ずつ備えられている。
【００２０】
更に，前記保持体９３の受止段部９６と保持体９３の下端部９７との間には，該保持体９３の長手方向に亘って断面略ト字型となるようにケース本体３の結線盤３ａ方向に向かって一体に形成された補強板９８が一体的に形成され，前記保持体９３の長手方向に直交する方向に加わる力に対して撓み難くしている。これらは図７に良く示されており，この図７において（ａ）は図６（ａ）におけるＡ−Ａ線断面図であり可動係止片９４の略中央の断面図である。（ｂ）は図６（ａ）におけるＢ−Ｂ線断面図であり可動係止片９４中央部を外した位置の断面図である。（ｃ）は図６（ａ）におけるＣ−Ｃ線断面図であリ受止段部９６を含む保持体９３の断面図である。
また，保持体９３の上方端部には，結線盤３ａ方向にむかって傾斜を持たせた当付面９３ａが形成されている。また，保持体の両側端には側方に向かって突設された突起部９３ｂが形成されている。尚，９４ｃは可動係止爪９４背部に形成された補強用のリブである。
【００２１】
次に保持体９３のケース本体３への取付方法について図５と図８を用いて説明する。図５によく示されるように，ケース本体３の両側板３ｂには，裏側板３ｄから開口部方向にかけて形成され複数の溝部３３ａを有する側板嵌合部３３が形成されており，裏側板３ｄには，前記側板嵌合部３３の溝部３３ａを結ぶ線上に複数の溝部６３ａを有する裏側板嵌合部６３が所定位置に形成されており，前記側板嵌合部３３と裏側板嵌合部６３とで請求項の嵌合部を構成している。保持体９３はこの嵌合部に対して，保持体９３の両端側を側板嵌合部３３の複数備えられた溝部３３ａの内の所定溝部に嵌め込み，更に，保持体９３の嵌合端部９７が裏側板３ｄに形成された裏側板嵌合部６３の嵌合溝６３ａに嵌め込まれるまで押付けることによって取り付けが完了する。図５に示される，保持体９３をケース本体３に取り付けた状態におけるＤ−Ｄ線断面図が図８（ａ）に示されており，保持体９３は嵌合部の結線盤３ａ方向から３つめの嵌合溝に嵌め込まれた状体が示されている。そして，図８（ｂ）には図８（ａ）におけるＥ−Ｅ線断面図が示されている。この図によれば，側板３ｂの側板嵌合部３３が形成された内側には，ケース本体３の開口端部側から所定のところに形成された段部３３ｂから裏側板３ｄにかけて，ケース本体３の開口部より僅かに外方向に大きくなるように凹部３３ｃが形成されている。
【００２２】
保持板９３の係止方法を説明すると，先ず保持板９３の嵌合端部９７を嵌合部の所定位置の溝部に嵌め込んでいくと突起部９３ｂが側板３ｂの上端に当接する。突起部９３ｂは下方向から上方にかけて外方向に開くように斜面を有するように形成されている。そして，ケース本体３は合成樹脂材などの弾性材から形成されているので，保持体９３を更に下方向に押さえつけると，保持体９３は側板３ｂを外方向に拡開させながら進む。更に保持体９３を押付けると突起部９３の先端部が段部３３ｂを通過し，それによって側板３ｂは弾性力でもとの状態に戻され，段部３３ｂが突起部９３ｂと嵌合することで保持体９３はケース本体３に掛脱自在に固着される。また，上述のように側板３ｂは弾性を有することから，保持体９３の取り外しは，側板３ｂを外方向に広げることによって，段部３３ｂと突起部９３ｂとの係止が解除され，保持体の取り外しは容易にできる。
【００２３】
次に，図９を用いて光受信部１３をケース本体３に取り付ける方法について説明する。尚，説明を簡単にするために第３実施例に示されるケース本体３に光受信部１３を取り付ける場合について説明する。図９は，図５に示されるケース本体３の斜視図に光受信部１３を取り付けた状態におけるＦ−Ｆ線の一部を破断した一部断面図である。
図９に示される光受信部１３は，通常知られているように外部はシールド効果を有する金属製のケース（シャーシ）１４（図に示される１４ｂは蓋体である。）で構成されており，内部には，光信号をテレビ受像機用の入力信号に変換する為の手段，通常，Ｏ／Ｅ変換手段として知られている電子回路が収められている。また必要に応じては周知のように増幅回路が収まっている。ケース（シャーシ）１４の表面の所定位置には，光アダプタ２０が着脱自在に固着されている。この光アダプタ２０には，ケース１４内のＯ／Ｅ変換手段に連なる光ファイバ１７の先端に付されている光コネクタ２１ａが抜差自在に接続されている。光コネクタ２１ａはケース１４に設けた孔を通してケース１４の内に収納できるようにしても良いし，ケース１４の蓋が開閉できるように光ファイバ１７のリード線を長くしてあっても良い。１６は同軸ケーブル接栓であり例えば周知のテレビ信号用出力端子の存在を示す。
【００２４】
光受信部１３のケース１４の同軸ケーブル接栓１６が形成された一側面と対向する側面には，ケース１４を外方向に突出するように絞出し形成した係止部１５が１若しくは複数個所（図には一ヶ所しか示されていない。）形成されており，この係止部１５がケース本体３に備えられた保持体９３に形成された移動係止片９４（もしくは，固定係止部１００に形成された固定係止片１０）によって着脱自在に保持される。
【００２５】
更に，取付構造と取付手順について説明する。先ず，光受信部１３の同軸ケーブル接栓１６がケース本体３の結束盤３ａに形成された出力端子突出口９から頭出しした状態となるように収納空間５にケース１４を取り付ける。そして，ケース１４を結線盤３ａ方向に押付けながらケース１４の係止部１５が形成された側を係止片９４に押付ける。このとき，同軸ケーブル接栓１６の基部１６ａの一部もしくは全周をテーパ状に形成することによって，同軸ケーブル接栓１６の中心軸と出力端子突出口の中心軸とは略同一軸線上となるように取り付けることができる。
係止片９４は弾性部材から構成されているので，ケース１４の係止部１５を押付けることによって，可動係止片９４が保持体方向に押し広げられてケース１４がはめ込まれる。そして，可動係止片９４の鉤部９４ｂがケース１４の係止部１５に嵌合してケース１４は係止される。可動係止片９４は保持体９３よりケース１４側前面に突出するように平行配置されているので，保持体９３の上面９３ａがケース１４の装着に邪魔になることはない。
【００２６】
保持体９３に形成された可動係止片９４の下部には前記受止段部９６が形成されているので，前記シールドケース１４をケース本体３に取り付けた状態で，ケース１４は同軸ケーブル接栓（詳しくは，同軸ケーブル接栓の基部）と出力端子突出口との嵌合，及び，係止部１５側が前記鉤部９４ｂと前記裏側止着片９６ａとの間で挟持されることで，裏側板に直交する方向への動きが制限される。また，同軸ケーブル接栓（詳しくは，同軸ケーブル接栓の基部）と出力端子突出口との嵌合，及び，前記上側止着片９６ｂとで，前記シールドケース１４の保持体９３若しくは結線盤３ａ方向への動きが制限され，ケース１４はケース本体３内部に確実に固定される。
【００２７】
次に，挿通路６０について図１０をもとに説明する。挿通路６０は，基板２５の一部を凹陥させた形状であって，光ケーブル４１，４２を沿わせる下面６２ｃ（前記光ケーブル挿通口６から見て奥部には，基板２５の上面に向けて光ケーブル４１を案内するための緩やかな上り斜面Ｒ１を有する）と，相互に対向する両側面を備えた溝部２６０を形成している。
【００２８】
前記溝部２６０における光ケーブルの取り入れ口には上下から光ケーブル４１，４２を挟み付けるために上下の当たり面に弾力部材を備える挟着用部材から成る挟着具３９が配設されており，挿着された光ケーブル４１，４２を着脱自在に保持している。
この実施例に示す挟着具３９は図１１の斜視図によく示されるように，光ケーブル４１，４２の軸線に対して直交する方向を長手方向とする押圧片３９ａと，該押圧片３９ａから長手方向に突設した枢着片１３９が形成されている。該枢着片１３９には外方向に向かって枢着軸１３９ａ（一方は図示されていない）が形成されている。この枢着軸１３９ａ，１３９ａは，基板２５に形成された図には示されていない枢着孔を備えた枢着部に枢着されており，この枢着部において挟着具３９が開閉自在となるように取り付けられている。更に，押圧片３９ａの光ケーブルの当たり面には弾性部材７１ａ，７２ａが両側の対称位置で，夫々間隔を隔てて配設されている。尚，弾性部材７１ａ，７２ａは光ケーブル４１，４２に対応するように配設されているのであるが，弾性部材７１ａ，７２ａは一体で形成してもよい。
【００２９】
次に，図１０（ａ）に良く示されるように，前記挟持具３９の押圧片３９ａに備えた前記弾性部材７１ａ，７２ａに対向する下面６２ｃには，挟持具３９を閉じた状態にした時に，挟持具側弾性部材７１ａ，７２ａの一部を受入れると共に，底部に弾性部材７１ｂ，７２ｂを備えた凹部７０が形成されており，該凹部７０において光ケーブル４１，及び４２の左右方向（光ケーブルの挿入方向に対して）の位置決めが行われると共に，この位置において挟圧保持するように構成されている。尚，本願の実施例においては，前記弾性部材７１ｂ，７２ｂと凹部７０，７０とで当付部１６２，１６２を構成している。
また，前記下面６２ｃと挟持具３９の固着手段として，固着ねじ４０を用いて締着する例を示したが，特にこの実施例に限定されるものではない。また，当付部１６２，１６２は光ケーブル４１及び４２の本数に対応するように両側の対称位置で，夫々間隔を隔てて配設されるように形成したが，１つの当付部であってもよい等，特に実施例に限定されるものではない。
【００３０】
この挿通路６０のより詳細な図を図１２に示す。図１２（ａ）は光ファイバ収容部２４の挿通路６０を示す一部を破断した部分斜視図であり，（ｂ）は異なる実施例の要部斜視図である。
図１２（ａ）に良く示されるように，底面に弾性部材７１ｂ，７２ｂを備えた凹部７０には，手前側（結線盤方向）に延設された誘導凹部７０ａが形成されている。該誘導凹部７０ａは導入された光ケーブル４１，及び４２の当付部１６２への誘導を容易にすると共に，誘導凹部７０ａの開口部上方には，光ケーブルを装着してから挟着具３９を締付ける前に光ケーブルが跳ねて挿通路から飛び出さないようにするための突片２９が形成されており光ケーブルの配線を容易とするためのものである。尚，この突片２９が請求項に記載の挿通路跳ね上がり防止手段である。
このように，この実施例は，ケース本体３の上方から光ケーブルを簡単に挿着できるように構成したものであり，光ケーブルの装着が簡単であっても，誘導凹部７０ａに形成した前記突片２９を備えることで，光ケーブルが跳ねて飛び出さないのである。
【００３１】
図１２（ａ）の実施例に示される突片２９は，誘導凹部７０ａの開口端側から誘導凹部７０ａの中心方向に向けてそれぞれ突出寸法の異なる突片２９ａ，２９ｂを対向配置したものを一組として，本願の実施例では誘導凹部７０ａの前方側と後方側に２組設けると共に，前方側の突片２９ａと後方側の突片２９ａとは突設方向が対向するように互い違いに配置することによって，突片２９ａと突片２９ｂの先端と先端がなす空間はそれぞれ誘導凹部７０ａの軸線上からずれて配置され，これによって装着後の光ケーブルの跳ね上がりをし難いように構成されている。
図１２（ｂ）の実施例には上記実施例とは異なる突片３０が示されている。この実施例の突片３０は，誘導凹部７０ａの開口端部から中心方向下方に向かって傾斜する傾斜部と傾斜部の先端から下方に延設した舌状部とからなり，舌状部が所定の間隔を有するように誘導凹部７０ａの上方両側から対向配置されている。これによれば，突片３０は光ケーブルの導入を容易とする傾斜部を備えているので装着に邪魔にならない。そして，光ケーブルの装着後は光ケーブルを突片３０の内側に位置するように配設すれば光ケーブルの跳ね上がりを防止できるのである。
【００３２】
図１３にはこの挿通路６０に対応する光ケーブル挿通口１６０の拡大斜視図が示されている。この実施例における光ケーブル挿通口１６０は，ケース本体３の結線盤３ａに上端を開口した略四角形状に形成されており，底端部から突設して底面を形成する底板１６０ｃと，該底板１６０ｃを挟んで開口端部の両側から突設した側壁１６０ｂ，１６０ｂとで囲まれるように構成されている。
そして，挿通口１６０の底部１６０ｃは，挿通路６０に対して光ケーブル４１，４２を夫々確実に誘導する位置に形成されており，更に，該底部１６０ｃにはケース本体３と一体に形成された隔壁１６０ａを備えさせることによって，左右に誘導路１７０，１７０を形成し，光ケーブルを挿通路６０の所定位置に確実に誘導できることができるように構成されている。また，挿通口１６０の底板１６０ｃの突出寸法は，ケース本体３外部とケース本体３内部とを接続する光ケーブルの導入経路を所定長得るような寸法に構成されている。
尚，本実施例では挿通口１６０をケース本体３の結線盤３ａに一体的に形成した例を示したが，基板２５と一体に形成してもよく特に実施例に限定されるものではない。
【００３３】
次に，本発明の実施例では図１４に示されるように，ケース本体３に光受信部１３を収納した後に，ケース本体３の開口部３ｅ側に光ファイバ収容部２４を収納する。その後，図１５（ａ）の正面図に示されるように開口部３ｅに蓋体４を組付けることによって光受信機１の組付けが完了する。図１５（ｂ）は結線盤３ａ方向を見た面図である。この図に示されるように，蓋体４にはケース本体の結線盤３ａ側の一部を被うように折返部４ｂが形成されている。そして，この折返部４ｂの光ケーブル挿通口１６０に対向する位置には，光ケーブル挿通口１６０の開口部を覆うための補完部材１４０が形成されている。
【００３４】
ここで図１６，図１７を用いて補完部材１４０と光ケーブル挿通口１６０との嵌合状態を説明する。図１６（ａ）は図１５（ａ）におけるＧ−Ｇ線から見た補完部材１４０とケーブル挿通口１６０の拡大面図である。図１６（ｂ）は図１５（ａ）におけるＨ−Ｈ線断面図であり，補完部材１４０と光ケーブル挿通口１６０との嵌合状態を結線盤３ａに並行する面で切断した断面図である。図１６（ｃ）は図１５（ｂ）におけるＩ−Ｉ線断面図であり，補完部材１４０と光ケーブル挿通口１６０との嵌合状態を結線盤３ａの長手方向がなす面で切断した断面図である。また，図１７（ａ）は図１５（ｂ）におけるＪ−Ｊ線断面図，図１７（ｂ）は図１５（ｂ）におけるＫ−Ｋ線断面図であり，それぞれ補完部材１４０と光ケーブル挿通口１６０との嵌合状態を結線盤３ａの長手方向に直交する面で切断した断面図である。
【００３５】
これらの図によく示されるように補完部材１４０は，蓋体４に形成した折返部４ｂと一体的に形成された外壁部１４１と，前記蓋体４の内面から前記外壁部１４１と所定間隔離れて略平行配置されるよう突設した内壁部１４３と，外壁部１４１と内壁部１４３の間に夫々配置される二つの側板１４２とを略角形に配置し，一方は蓋体４で閉塞され他方は開口した，内部に空間１４０ａを備えた略四角形状に形成されている。そして，外壁部１４１の開口端１４１ｂ略中央部及び内壁部１４３の開口端１４３ｂ略中央部には，前記隔壁１６０ａの上端部の形状に対応する切欠部１４１ａおよび１４３ａが形成されている。
【００３６】
そして，蓋体４がケース本体３に閉じた状態にあるときは，補完部材１４０は，補完部材１４０の先端部と光ケーブル挿通口１６０の底面１６０ｃとの間に，光ケーブルが挿通可能な寸法の導入経路１７０を有するように光ケーブル挿通口１６０内に挿入された状態になる。即ち，補完部材１４０の外壁部１４１と内壁部１４３は，その間隔が前記光ケーブル挿通口１６０の底板１６０ｃの突設寸法と同じか僅かに小さくなるように配置され，補完部材１４０の側壁１４２と側壁１４２は，その間隔が前記光ケーブル挿通口１６０の側壁１６０ｂと側壁１６０ｂの間隔より僅かに小さくなるように配置され，補完部材１４０の蓋体４からの突設寸法が，補完部材１４０の先端部に形成された切欠部１４１ａおよび１４３ａが光ケーブル挿通口１６０に形成された隔壁１６０ａの先端部に嵌合するように配置されるように補完部材１４０は挿通口１６０に挿入される。
【００３７】
次に余長の光ファイバ収容部２４について説明する。この光ファイバ収容部２４において，２５は基板を示し，プラスチックなどの硬質平板材で形成してある。基板２５は任意の手段，例えばケース本体３に対して直接的に，又はケース本体３に装着されている上記のケース１４に対して着脱自在にねじ部材などを用いて装着する。図１，２に現れる２５aは基板２５から延長させたカバーを示し，リード線１７を保護する為のものである。２５ｂは基板２５の上に設けたコネクタ仮止め具の存在を示すものである。
基板２５の上面に対しては，図示のように光ファイバ４４，４５，４６，４７の添え付けを可能とする安全曲率の範囲内で小さい曲率に形成されている周壁２６ａ，２７ａを有する第１巻枠２６と，第２巻枠２７とを並置させてある。安全曲率としては光ファイバのメーカーによって種々な説があるが，一般的には半径が２０ミリメートル〜３０ミリメートルあれば安全な曲率といわれている。
【００３８】
第１巻枠２６と，第２巻枠２７とは，基板２５が合成樹脂で成型されていることによって基体２５に一体材で成型される。これらの巻枠の周壁２６ａ，２７ａには，光ファイバの滑りを止める為に，必要に応じて上下方向に長いスリットが周方向に多数配設してあってもよい。更に巻枠の平面形状は真円であっても良いし，安全曲率以上の曲率を備える楕円形であっても良い。
また，巻枠の周壁２６ａ，２７aは，基板２５とは別体で形成し，基板２５の所定位置に任意の接合手段，例えば基板２５に多数の孔を穿ち，巻枠の側から延びる多数の爪を嵌合させる手段を用いて，或いは接着剤などを用いて密着状態に装着してもよい。
２８は周壁２６ａ，２７aに添わせる光ファイバ４４，４５，４６，４７が跳ね上がるのを阻止するために予め周壁２６ａ，２７aの上部位置に均等に割り付けて配置された複数の跳止爪を示す。この跳止爪２８は周壁２６ａ，２７aの上部位置から放射方向に向けて一体材で張り出し状に備えさせてある。上記張り出し状の跳止爪における下方の基板２５には，必要に応じて，周知のように成形時に必要な型（中子）を抜き出す為に透孔を設けておくとよい。
【００３９】
基板２５の上面において，３４，３５は公知の第１と第２のスプライスホルダの存在を示し，光ファイバ４４と４７，４５と４６とを夫々接続するための公知の第１と第２のメカニカルスプライス３６，３７を着脱自在に保持する為のものである。
配設位置としては，邪魔にならないように図１における第１巻枠２６と第２巻枠２７の中間位置の上方に選定してある。
基板２５において，基板２５の上面とほぼ同じ高さに配設してある光アダプタ２０が存在する隅部は，基板２５を欠如させ，光ファイバ４７の自由端に付着させた光コネクタ２１ｂを光アダプタ２０の受口２２に着脱自在に接続できるようにしてある。
【００４０】
次に，光ケーブルの出入口１６０近くの基板２５の上面においては，出入口６から巻枠２７に向けて大きな曲率で２芯の光ケーブル４１や，２芯（又は単芯）の光ケーブル４２の出入りを導くために緩やかに上昇するスロープが付された通路Ｒ１が形成されている。
出入口１６０の近くには上下から光ケーブル４１，４２を弾力的に挟み付ける為に上述に示した挟着具３９が配設されており，挿入された光ケーブル４１，４２を着脱自在に保持している。
【００４１】
以上に示される構成のものに光ケーブルを敷設する作業は，光ケーブルの出入口１６０の開口端から光ファイバ収容部２４に２芯の光ケーブル４１を挿入する。また必要に応じて２芯（又は単芯）の光ケーブル４２をも挿入し，固定する。この状態で通常知られている第１と第２のメカニカルスプライス３６，３７を利用する接続手段（他の任意周知の接続手段でもよい）を用いて夫々光ファイバを接続する。この接続作業においては通常知られている工具を用いるので，光ファイバ４４，４５，４６，４７は比較的長くなければならない。例えば５０cm以上であることが望ましい。作業員の都合によっては１００cm以上の場合もある。
【００４２】
上記のようにして光ファイバ相互が接続された後は，図１３に現れているように，これらのループ状になっている余長の光ファイバ（余分な長い光ファイバ）を光ファイバ収容部２４に対して綺麗に納めなければならない。本願における光ファイバ収容部は，光ファイバ接続後，余長部分を収納する場合，右巻きに巻いたり左巻きに巻いたり，小嵩に収納したり，多数の態様の巻き方を適宜選択利用することができる事から，光ファイバの余りの長さが大きく，しかも，ループ状で，そのループの長さが適当で定かでない場合でも，光ファイバを仕上がりよく巻き付け，格好の良い仕上がりにすることが可能になる。
しかも上記態様の巻き方は夫々巻枠２６，２７に対して緩く巻き付けても，きつく巻き付けても，巻枠の安全曲率以下にはならないので，光ファイバの曲率が小さくなって損傷することを気にしなくても，必ず安全曲率以上の曲率で巻くことができるようになる。
【００４３】
なお，上記のようにして，ケース本体３の内に光受信部１３と，余長の光ファイバ収容部２４とを装着し，光ファイバ収容部２４に光ファイバを納めた後は通常の利用方法によって利用される。例えばケース本体３に図には示されない蓋４を被せ，通常の如く家屋に装着する。
その後は出入口１６０から引き出されている光ケーブル４２に例えば家屋５４内におけるメディアコンバータ５０，パソコン５１を接続して光信号を利用する。又出入口９の接続端子１６から引き出された同軸ケーブルにはセットトップボックス５２，テレビ受像機５３を接続して利用する。
【００４４】
次に挿通路６０に，光ケーブルを固定する作業の一例について，例えば図１４に示されている光ファイバ収容部２４に光ファイバーを納める作業を終え，それらの光ファイバー４４に連なる光ケーブル４１を固定する作業を説明する。
図１０（ａ）に示されるように，外部に対しても長く連なっている光ケーブル４１の中間をつまみ，ケース本体３に設けられている挿通口１６０の上方から下面６２ｃに形成した当付部１６２，１６２と挟着具３９の間に存置させる。
次に図１０（ｂ）に示されるように，固着ねじ４０からなる固着手段を螺着させることによって，弾性部材７１，７２を介して，挟着具３９で光ケーブル４１を挟圧し，光ケーブル４１を正確に保持することになる。
【００４５】
本願に実施例に示されるような光受信機の場合，ケース本体３の大きさが余長の光ファイバ収容部の大きさによって制限を受ける。つまり，光ファイバ収容部に余長の光ファイバを巻きつけるための巻枠は，その大きさが光ファイバの最小曲げ半径によって決まり，その結果として巻枠を備えた光ファイバ収容部の全体の大きさも決まる。それに対してケース本体３は，内部に光受信部を収納して，その上に重合するように光ファイバ収容部を収納することにより全体の小型化を図るように構成することによって全体が大きくならないようにしている。
そのうえで，製品のコストダウンを進めていく方法の一つとして，光受信部に最新の技術を取り入れたり，スペックに応じた廉価型のタイプを導入したりして，光受信部を小型化することによって，従来からの高規格品ばかりでなく汎用の製品を備える方法が考えられる。このような場合，上述のようにケース本体にシールドケースを収納するために，シールドケースに突出形成された係止部と，該係止部に係止するケース本体に設けられた係止片とからなる取付手段を備えたとすると，大きいシールドケースの取り付けに際して，小さいシールドケース用の係止片が邪魔になり取り付けができないことが考えられ，これに対応するためには，シールドケースの種類分だけコマ（移動金型）を作って金型を入れ替えながら係止片の位置の異なる複数のケース本体を成形する必要が生じ，金型費が高額に成るばかりでなく，部品の種類が増えることによるコストや管理費がアップすると言った問題が生じる。
そこで本発明の光受信部（即ち，電子機器）のシールドケースの取付構造によれば，ケース本体に備えた係止片を，ケース本体から着脱自在に固着できるのに構成しその取付位置を２つの位置から選択できる可動係止片にしたり，また，ケース本体に一体に形成された固定係止片と，この固定係止片より内側に可動係止片を着脱自在に固着することによって，２つの大きさのことなるシールドケースの取付が選択的にできるのである。
更に，可動係止片の取付位置を前後に所定長だけ移動可能にする事によって，さらにシールドケースの複数の大きさに対してフレキシブルに対応可能な電子機器のシールドケースの取付構造を提供できるのである。
【図面の簡単な説明】
【００４６】
【図１】，
【図２】ケースにおけるケース本体と，ケース本体内に収納される電子機器及び光ファイバ収容部の位置関係を示す正面図及び分解斜視図である。
【図３】ケース本体の第１実施例を示す天板側から見た概略斜視図。
【図４】ケース本体の第２実施例を示す天板側から見た概略斜視図。
【図５】ケース本体の第３実施例を示す天板側から見た概略斜視図。
【図６】（ａ）は図５に示される第３実施例のケース本体における保持体の正面図であり，（ｂ）は背面図である。
【図７】図６（ａ）に示されるＡ−Ａ線断面図であり，（ｂ）は図６（ａ）に示されるＢ−Ｂ線断面図であり，（ｃ）は図６（ａ）に示されるＣ−Ｃ線断面図である。
【図８】（ａ）は図５に示されるＤ−Ｄ線断面図でありケース本体と保持体の嵌合状態を示し，（ｂ）は図８（ａ）に示されるＥ−Ｅ線断面図である。
【図９】図５に示されるケース本体に光受信部を取り付けたときのＦ−Ｆ線の一部を破断した一部断面図である。
【図１０】挿通路における挟持具と，二系列の光ケーブルの位置関係を説明する為の図で，（ａ）は挟持具を開いた状態，（ｂ）は挟持具を閉じた状態を示す一部拡大した正面図である。
【図１１】挟持具の実施例を示す拡大斜視図である。
【図１２】本願の光ファイバ収容部２４に形成された挿通路６０の要部を拡大した斜視図である。
【図１３】光ケーブル挿通口の拡大斜視図である。
【図１４】本発明に係るケース本体と，ケース本体内に収納される光受信部及び光ファイバ収容部の位置関係を示す正面図及び分解斜視図である。
【図１５】ケース本体に蓋体を装着した図であり，（ａ）は正面図，（ｂ）は前面図である。
【図１６】（ａ）は図１５（ａ）におけるＧ−Ｇ線から見た拡大図であり，（ｂ）は図１５（ｂ）におけるＨ−Ｈ線から見た断面図であり，（ｃ）は図１５（ｂ）におけるＩ−Ｉ線から見た断面図である。
【図１７】（ａ）は図１５（ｂ）におけるＪ−Ｊ線から見た断面図であり，（ｂ）は図１５（ｂ）におけるＫ−Ｋ線から見た断面図である。
【符号の説明】
【００４７】
１…光受信機，３…ケース本体，３ａ…結線盤，３ｂ…側板，３ｃ…天板，３ｄ…裏側板，３ｅ…開口部，４…蓋体，４ａ…止具，４ｂ…折返部，５…収納空間，６…光ケーブル挿通口，７…ケース，８・９…出力端子突出口，１０…固定係止部，１１…受止片，１３…光受信部，１４…ケース（シャーシ），１５…係止部，１６…同軸ケーブル接栓，１７…光ファイバ，２０…光アダプタ，２１…コネクタ，２４…光ファイバ収容部，２５…基板，２６…第１巻枠，２６ａ…周壁，２６ｆ…中心点位置，２７…第２巻枠，２７ａ…周壁，２７ｆ…中心点位置，２８…跳止爪，２９…突片，３０…突片３１ｄ…止着爪，３２ｄ…保持爪，３３…側板嵌合部，３３ａ…溝部，３３ｂ…段部，３３ｃ…凹部，３４…第１スプライスホルダ，３５…第２スプライスホルダ，３６…第１メカニカルスプライス，３７…第２メカニカルスプライス，３８…ＷＤＭフィルターホルダ，３９…挟持具，３９ａ…押圧片，３９ｂ…操作片，３９ｃ…側壁，４１…光ケーブル，４２…光ケーブル，４４〜４７…光ファイバ，５０…メディアコンバータ，５１…パソコン，５２…セットトップボックス，５３…テレビ受像機，５４…家屋，５８…周壁，６０…挿通路，６２ｃ…下面，６２ｆ…隔壁，６３…裏側板嵌合部，６３ａ…溝部，７０…凹部，７０ａ…誘導凹部，７１・７２…弾性部材，７３…連結部材，９３…第２の保持体，９３ａ…当付面，９３ｂ…突起部，９４…可動係止片，９４ａ…基部，９４ｂ…鉤部，９５…切欠部，９６…受止段部，９６ａ…裏側止着片，９６ｂ…上側止着片，９７…嵌合端部，９８…補強板，１００…固定係止部，１０６…突出筒，１０６ａ…隔壁，１０３…切欠部，１０７…係止部，１１０…スリット，１２５…枢着孔，１３９…枢着片，１３９ａ…枢着軸，１４０…補完部材，１４０ａ…空間，１４１…前面壁部，１４２…側壁，１４３…後面壁部，１４１ａ・１４３ａ…切欠部，１４１ｂ・１４３ｂ…先端部，１６０…光ケーブル挿通口，１６０ａ…隔壁，１６０ｂ…側壁，１６０ｃ…底板，１６２…当付部，１７０…導入経路，２００…第１の保持体，２０１…基体，２０２…可動係止片，２０３…受止片，２０４ｄ…前面端，２６０…溝部，Ｒ１…光ファイバ路。
【図１】
2008010595.tif 000003
【図２】
2008010595.tif 000004
【図３】
2008010595.tif 000005
【図４】
2008010595.tif 000006
【図５】
2008010595.tif 000007
【図６】
2008010595.tif 000008
【図７】
2008010595.tif 000009
【図８】
2008010595.tif 000010
【図９】
2008010595.tif 000011
【図１０】
2008010595.tif 000012
【図１１】
2008010595.tif 000013
【図１２】
2008010595.tif 000014
【図１３】
2008010595.tif 000015
【図１４】
2008010595.tif 000016
【図１５】
2008010595.tif 000017
【図１６】
2008010595.tif 000018
【図１７】
2008010595.tif 000019